(57)【要約】【課題】通気孔への雨水の浸入を抑えることが可能なガスメータを提供する。【解決手段】本発明のガスメータ１０では、メータケース１１の下面溝６４の天井面６４Ａに通気孔１３Ｂが開口している。そして、下面溝６４の溝端部開口６５から略同じ横幅で上方に延びる帯状領域の下端部に、横方向Ｈ１に対して傾斜する横傾斜案内面９０が段付き状に形成されて、その横傾斜案内面９０の下端部から鉛直堰止面９１が立ち上がっている。これにより、帯状領域内を流下してくる雨水が、横傾斜案内面９０によって帯状領域の一側方へと案内されてから鉛直堰止面９１で堰き止められ、それら横傾斜案内面９０と鉛直堰止面９１との交差部分の一端の雨水排出部９３から溝端部開口６５の一側縁部へと排出されるようになっている。【選択図】図４
2019144001.tif 000002
【特許請求の範囲】
【請求項１】
メータケース内を通過するガスの流量を計測すると共に、ガスの流路と隣り合わせの付属部屋に収容される圧力センサにより前記流路内のガス圧の異常を大気圧と比較して検出するガスメータにおいて、
前記メータケースの下面に形成されて水平に延び、その端部が前記メータケースの外側面の下側位置で開口する溝端部開口となった下面溝と、
前記下面溝内の天井面に開口し、前記付属部屋に大気圧を取り込む通気孔と、
前記メータケースの外側面のうち前記溝端部開口からそれと略同じ幅で上方に延びる帯状領域の下端部に段付き状に形成され、前記帯状領域の幅方向に対して傾斜し、前記帯状領域を流下してくる雨水を受けて前記帯状領域の一側方へと案内する横傾斜案内面と、
前記横傾斜案内面の下端部から上方に立ち上がり、前記横傾斜案内面に案内される雨水を堰き止める鉛直堰止面と、
前記横傾斜案内面と前記鉛直堰止面との交差部分の一端に位置し、前記溝端部開口の一側縁部に上方から雨水を排出する雨水排出部と、を有するガスメータ。
【請求項２】
前記帯状領域に陥没形成されて、その内側下部に前記横傾斜案内面を有すると共に、内側一側部に前記鉛直堰止面を有する凹部を備える請求項１に記載のガスメータ。
【請求項３】
前記メータケースの下面から突出するリブ形状をなし、その表裏の一方の面が、前記溝端部開口の前記一側縁部側の前記下面溝の一内側面を構成する下面リブを備える請求項１又は２に記載のガスメータ。
【請求項４】
前記下面リブの前記表裏の他方の面は、前記横傾斜案内面の下端部より上側まで延長されている請求項３に記載のガスメータ。
【請求項５】
前記付属部屋には、前記圧力センサを収容する第１の付属部屋と、前記第１の付属部屋と区画壁を隔てて隣合わせに設けられて底部を前記通気孔が貫通する第２の付属部屋とが設けられ、前記第１と第２の付属部屋の間を連通する連通孔が、前記区画壁の上端部を貫通している請求項１乃至４の何れか１の請求項に記載のガスメータ。
【請求項６】
前記第２の付属部屋は、水平方向に開口して、その開口部を塞ぐ蓋体を有し、
前記下面溝は、前記第２の付属部屋の下側開口縁に沿って延び、
前記蓋体の下端部から直角曲げされて、前記下面溝を下方から覆う溝カバーを備える請求項５に記載のガスメータ。
【発明の詳細な説明】
【技術分野】
【０００１】
本発明は、ガス圧異常を検出するための圧力センサを内蔵したガスメータに関する。
【背景技術】
【０００２】
この種のガスメータの圧力センサは、一般に、ガス圧と大気圧とを比較してガス圧の異常を検出する構造になっている。そして、従来のガスメータとして、圧力センサの収容部に大気圧を取り込むための通気孔を下面に備えたもの知られている（例えば、特許文献１参照）。
【先行技術文献】
【特許文献】
【０００３】
【特許文献１】実開平４−４３２２３号公報（第１０〜１１頁、第１３図〜第１５図）
【発明の概要】
【発明が解決しようとする課題】
【０００４】
しかしながら、上記した従来のガスメータでは、外側面を伝わる雨水が下面に回り込んで通気孔に入り込むことがある。
【０００５】
本発明は、上記事情に鑑みてなされたもので、通気孔への雨水の浸入を抑えることが可能なガスメータの提供を目的とする。
【課題を解決するための手段】
【０００６】
上記目的を達成するためになされた請求項１の発明は、メータケース内を通過するガスの流量を計測すると共に、ガスの流路と隣り合わせの付属部屋に収容される圧力センサにより前記流路内のガス圧の異常を大気圧と比較して検出するガスメータにおいて、前記メータケースの下面に形成されて水平に延び、その端部が前記メータケースの外側面の下側位置で開口する溝端部開口となった下面溝と、前記下面溝内の天井面に開口し、前記付属部屋に大気圧を取り込む通気孔と、前記メータケースの外側面のうち前記溝端部開口からそれと略同じ幅で上方に延びる帯状領域の下端部に段付き状に形成され、前記帯状領域の幅方向に対して傾斜し、前記帯状領域を流下してくる雨水を受けて前記帯状領域の一側方へと案内する横傾斜案内面と、前記横傾斜案内面の下端部から上方に立ち上がり、前記横傾斜案内面に案内される雨水を堰き止める鉛直堰止面と、前記横傾斜案内面と前記鉛直堰止面との交差部分の一端に位置し、前記溝端部開口の一側縁部に上方から雨水を排出する雨水排出部と、を有するガスメータである。
【０００７】
請求項２の発明は、前記帯状領域に陥没形成されて、その内側下部に前記横傾斜案内面を有すると共に、内側一側部に前記鉛直堰止面を有する凹部を備える請求項１に記載のガスメータである。
【０００８】
請求項３の発明は、前記メータケースの下面から突出するリブ形状をなし、その表裏の一方の面が、前記溝端部開口の前記一側縁部側の前記下面溝の一内側面を構成する下面リブを備える請求項１又は２に記載のガスメータである。
【０００９】
請求項４の発明は、前記下面リブの前記表裏の他方の面は、前記横傾斜案内面の下端部より上側まで延長されている請求項３に記載のガスメータである。
【００１０】
請求項５の発明は、前記付属部屋には、前記圧力センサを収容する第１の付属部屋と、前記第１の付属部屋と区画壁を隔てて隣合わせに設けられて底部を前記通気孔が貫通する第２の付属部屋とが設けられ、前記第１と第２の付属部屋の間を連通する連通孔が、前記区画壁の上端部を貫通している請求項１乃至４の何れか１の請求項に記載のガスメータである。
【００１１】
請求項６の発明は、前記第２の付属部屋は、水平方向に開口して、その開口部を塞ぐ蓋体を有し、前記下面溝は、前記第２の付属部屋の下側開口縁に沿って延び、前記蓋体の下端部から直角曲げされて、前記下面溝を下方から覆う溝カバーを備える請求項５に記載のガスメータである。
【発明の効果】
【００１２】
請求項１のガスメータでは、圧力センサに大気圧を取り込むための通気孔が、メータケースの下面に備えた下面溝の天井面に開口している。ここで、メータケースの外側面のうち下面溝の溝端部開口から上方に延びる帯状領域の下端部には、帯状領域の幅方向に傾斜する横傾斜案内面が段付き状に形成され、横傾斜案内面の下端部から鉛直堰止面が立ち上がっている。これにより、帯状領域を流下してくる雨水は、横傾斜案内面によって帯状領域の一側方へと案内されてから鉛直堰止面で堰き止められ、それら横傾斜案内面と鉛直堰止面との交差部分の一端の雨水排出部から溝端部開口の一側縁部へと排出され、さらに、その一側縁部の稜線伝いに流下して下面溝の下方に落ちる。つまり、横傾斜案内面を備えていないと、帯状領域を流下してくる雨水が下面溝の天井面に伝わり得るところを、本発明では、横傾斜案内面により雨水を溝端部開口の一側縁部に案内し、その一側縁部を雨樋として利用して下面溝の下方に導くことができる。これにより、下面溝の天井面に雨水が伝わることを規制することができ、通気孔への雨水の浸入が抑えられる。
【００１３】
横傾斜案内面及び鉛直堰止面は、メータケースの外側面の突出部の上面又は側面として備えてもよいし、請求項２の構成のように、メータケースの外側面に陥没形成された凹部の内面として備えてもよい。請求項２の構成によれば、横傾斜案内面及び鉛直堰止面を備えるための突出部をメータケースの外側面へ設けずに済み、異物への引っ掛かりが防がれる。
【００１４】
下面溝は、メータケースの下面に陥没した状態に形成されていてもよいが、請求項３のガスメータのように、メータケースの下面から突出する下面リブで下面溝の一内側面を構成し、前述の溝端部開口の一側縁部が下面リブの側縁部で構成されるようにすれば、下面リブの側縁部の表裏の２本の稜線を利用して、雨水を安定して鉛直下方に案内することができる。また、請求項４の発明のように、下面リブの表裏の他方の面を、横傾斜案内面の下端部より上側まで延長すれば、上記した２本の稜線のうちの１本を雨水排出部に近づけることができ、雨水排出部から溝端部開口の一側縁部への雨水の伝達が安定する。
【００１５】
請求項５のガスメータでは、隣り合う第１と第２の付属部屋の間の区画壁の上部を連通孔が貫通し、第２の付属部屋の底部を通気孔が貫通しているので、仮に通気孔から第２の付属部屋に水が浸入したとしても、圧力センサを収容する第１の付属部屋にまで水が浸入することが防がれる。
【００１６】
請求項５のガスメータでは、第２の付属部屋の開口部を塞ぐ蓋体の下端部から直角曲げされた溝カバーにより下面溝が下方から覆われているので、この点においても通気孔への雨水の浸入が抑えられる。
【図面の簡単な説明】
【００１７】
【図１】本発明の一実施形態に係るガスメータの斜視図
【図２】ガスメータの分解斜視図
【図３】ガスメータの正断面図
【図４】ガスメータの前面カバー、受容口蓋を取り外した状態の斜視図
【図５】ガスメータを後側から見た斜視図
【図６】ガスメータを後側から見た斜視図
【図７】ガスメータを後側から見た斜視図
【図８】ガスメータの一部を拡大した後面図
【図９】従来のガスメータを後側から見た斜視図
【発明を実施するための形態】
【００１８】
以下、本発明の一実施形態を図１〜図９に基づいて説明する。図１に示された本実施形態のガスメータ１０は、ガスの配管９９の途中に接続されるメータケース１１に、遮断弁２０（図２参照），計測管５０（図３参照）、整流器７０（図３参照）等を収容して備える。
【００１９】
メータケース１１は、例えばアルミの鋳物部品であって、横方向に延びた略直方体状のダクト部１２を有する。以下、ダクト部１２が延びる第１の水平方向を「横方向Ｈ１」といい、それと直交する第２水平方向を「前後方向Ｈ２」という。また、前後方向Ｈ２のうち後述する前面フランジ１６を有する側を「前側」等といい、その反対側を「後側」等ということとする。
【００２０】
図２に示すように、ダクト部１２のうち前方から見て左側にはフード部１３が備えられ、フード部１３内が本発明に係る第２の付属部屋１０Ｋになっている。また、フード部１３の四隅には、面取り傾斜壁３５が備えられている。さらに、フード部１３の先端部からは四角形のフード部フランジ３６が四方に張り出している。フード部フランジ３６には、フード部１３の開口より一回り大きな環状のＯリング溝３７が形成されると共に、Ｏリング溝３７より外側の四隅に螺子孔が形成されている。そして、Ｏリング溝３７にＯリング（図示せず）が収容された状態で、板状の蓋体１５がフード部フランジ３６に宛がわれて螺子止めされている。これにより、第２の付属部屋１０Ｋの開口部１３Ｋが密閉されている。
【００２１】
フード部１３とダクト部１２との間は、弁装着壁１４によって区画されている。また、ダクト部１２内は、弁装着壁１４側から横方向Ｈ１に順番に並ぶ第１〜第３の仕切壁２５，２６，２７により、同じく順番に並ぶ、遮断部屋３０、流入部屋３１、中間部屋３２及び流出部屋３３に区画されている。
【００２２】
ダクト部１２の上面の左右の両端部には、１対の配管接続部２３，２４が突設されて遮断部屋３０と流出部屋３３とに連通している。そして、遮断部屋３０に連通する一方の配管接続部２３に燃料ガスの供給元側の配管９９（図２参照）が接続される一方、流出部屋３３に連通する他方の配管接続部２４に燃料ガスの使用者側の配管９９が接続される。
【００２３】
図３に示すように、弁装着壁１４には円形の貫通孔１４Ａが形成され、その貫通孔１４Ａより一回り小さい円形の貫通孔２５Ａが第１仕切壁２５に形成されている。そして、図２に示すように、遮断弁２０のフランジ２０Ｆがフード部１３側の弁装着壁１４の開口縁に宛われて螺子止めされ、遮断弁２０の弁体２１が遮断部屋３０に収容されている。そして、図３に示すように、通常時には、弁体２１が貫通孔２５Ａから離間し、燃料ガスの流量等に異常が生じた時には、弁体２１が貫通孔２５Ａを閉塞する。
【００２４】
図４に示すように、メータケース１１の前面には、前面フランジ１６が備えられている。前面フランジ１６は、外縁部が横長の長方形をなし、ダクト部１２から上下に張り出し、横方向Ｈ１の一端部がフード部１３と一体になっている。また、前面フランジ１６の前面には、外縁部を除く全体を段付き状に陥没させて陥没部１６Ａが形成され、その陥没部１６Ａ内に、流入部屋３１、中間部屋３２及び流出部屋３３の前面全体を開放する部品受容口１７が形成されている。
【００２５】
流入部屋３１には、部品受容口１７から前述の整流器７０が収容されていて、ガスの流れの均一化が図られている。また、第２及び第３の仕切壁２６，２７には、部品受容口１７側が開口した矩形切欠部２９，２９が備えられている。これに対し、計測管５０が角筒状をなし、その両端寄り位置に嵌合された１対の枠形シール部材６０，６０が矩形切欠部２９，２９に嵌合されて、計測管５０が流入部屋３１と流出部屋３３との間を連絡している。また、計測管５０には、図示しない１対の超音波素子が内蔵され、一方の超音波素子から送波された超音波が流体を伝播して他方の超音波素子に受波される伝搬時間に基づいて、後述する回路基板９８（図２参照）上の制御回路がガスの使用量を演算する。
【００２６】
図２に示すように、受容口蓋１８は、部品受容口１７より一回り大きな長方形の板状をなし、外周部をメータケース１１に螺子止めされる。また、受容口蓋１８の内面には、図示しないパッキンが敷設され、流入部屋３１と中間部屋３２との間、中間部屋３２と流出部屋３３との間が気密状態に区画されている。
【００２７】
受容口蓋１８のうち中間部屋３２に対向する部分には、ケーブル挿通孔１８Ａが形成され、計測管５０の超音波素子の図示しないケーブルがケーブル挿通孔１８Ａを通して受容口蓋１８の前側に引き出されている。
【００２８】
図４に示すように、陥没部１６Ａ内の左辺上部には、フード部１３内に連通する連通孔７７が備えられ、その連通孔７７を通して遮断弁２０の図示しないケーブルが陥没部１６Ａの前側に引き出されている。
【００２９】
陥没部１６Ａ内の左辺中間部には、遮断部屋３０に連通する内圧検出孔７８が形成され、その内圧検出孔７８を塞ぐように図２に示した圧力センサ８０が取り付けられている。圧力センサ８０は、遮断部屋３０内のガス圧と大気圧とを表裏の一方と他方とに受ける図示しないダイヤフラムを内蔵している。
【００３０】
陥没部１６Ａには、受容口蓋１８の前側に回路基板９８が重ねて取り付けられている。そして、前面フランジ１６の全体を覆うように箱形の前面カバー８１が取り付けられて、その前面カバー８１の内に本発明に係る第１の付属部屋１０Ｊが形成されている。
【００３１】
回路基板９８には、超音波素子、遮断弁２０，圧力センサ８０が接続されると共に、第１の付属部屋１０Ｊ内に収容された図示しない電池が電源として回路基板９８に接続されている。そして、回路基板９８に実装された制御回路により、前述の如く超音波素子を利用して流体の流量が計測される。
【００３２】
また、回路基板９８のスイッチを介して遮断弁２０が給電されていて通常は弁体２１が貫通孔２５Ａから離間されている。そして、圧力センサ８０にてガス圧の異常が検出されると遮断弁２０への通電が遮断され、弁体２１が貫通孔２５Ａを閉塞する。また、回路基板９８には、震動検出器も実装されていて、その震動検出器が基準値以上の揺れを検出したときにも遮断弁２０への通電が遮断されて貫通孔２５Ａが閉塞される。
【００３３】
図５には、メータケース１１の下面及び後面の形状が示されている。ダクト部１２の下面には、横方向Ｈ１の両端部から１対の下面リブ６１，６２が垂下されている。それら下面リブ６１，６２は、ダクト部１２の下面における前後方向Ｈ２の全体に亘って延び、前端部は前面フランジ１６に接続されている。また、下面リブ６１，６２の下面は、前面フランジ１６の下面と面一に配置され、それら下面リブ６２等の下面よりフード部フランジ３６の下面は僅かに上方に位置している。さらに、一方の下面リブ６２は、ダクト部１２とフード部１３との間の弁装着壁１４の真下に位置している。そして、その下面リブ６２とフード部フランジ３６との間が、本発明に係る下面溝６４になっている。
【００３４】
図６に示すように、下面溝６４の天井面６４Ａには、１対の通気孔１３Ｂ，１３Ｂが並べて形成されている。そして、図１に示すように、これら通気孔１３Ｂ，１３Ｂと、フード部１３内の第２の付属部屋１０Ｋと前述の連通孔７７とを通して、圧力センサ８０を収容する第１の付属部屋１０Ｊに大気圧が取り込まれる。
【００３５】
図６に示すように、下面溝６４の前端は、前面フランジ１６によって閉塞される一方、下面溝６４の後端は、本発明に係る溝端部開口６５として後方に向かって開口している。また、下面溝６４の下面開口は、蓋体１５の下端部から直角曲げされた溝カバー１５Ａによって覆われている。図７に示すように、溝カバー１５Ａは、前後方向Ｈ２に延びる帯板状をなし、下面溝６４のうち下面リブ６２によって形成される一方の溝内側面６２Ｂの下端寄り位置に突き合わされている。また、溝カバー１５Ａの横幅は、前方に向かうに従って徐々に小さくなっていて、溝カバー１５Ａの先端と溝内側面６２Ｂとの間の隙間は前方に向かうに従って徐々に大きくなっている。さらには、溝カバー１５Ａの全長は、下面リブ６２の前後方向Ｈ２の全長より僅かに短くなっていて、前面フランジ１６と溝カバー１５Ａの前端部との間には、僅かに隙間が形成されている。また、溝カバー１５Ａは、前方に向かうに従って徐々に下るように僅かに傾斜している。
【００３６】
フード部フランジ３６は、下面リブ６２より後方に大きく突出している。また、フード部１３の後部下端の面取り傾斜壁３５の外面は、その下部が、下面リブ６２の後端より前側に位置する一方、面取り傾斜壁３５の上部が、下面リブ６２の後端より後方に位置している。そして、面取り傾斜壁３５の外面下端に段差壁部８２が形成されている。
【００３７】
段差壁部８２の下面は、下面溝６４の天井面６４Ａの一部（後端部）を構成している。また、段差壁部８２の後面と下面リブ６２の後面とダクト部１２全体の後面と面一になって連続しかつ前後方向Ｈ２に対して直交した鉛直外面８３になっている。そして、フード部１３の後部下端の面取り傾斜壁３５の外面の上端部が、鉛直外面８３より後方に位置して、その上方にフード部１３の後面１３Ｄ（以下、「フード後面１３Ｄ」という）が帯状をなして上下方向に延び、さらに、そのフード後面１３Ｄの上端に、フード部１３の後部上端の面取り傾斜壁３５の外面が続いている。そして、フード後面１３Ｄの一側縁部に、鉛直外面８３との間の段差面１３Ｅが形成されている。
【００３８】
段差壁部８２とフード後面１３Ｄとの間は、本発明に係る凹部８４になっている。そして、凹部８４内に位置する段差壁部８２の上面が、本発明に係る横傾斜案内面９０をなし、下面リブ６２によって形成される凹部８４内の一側面が、本発明に係る鉛直堰止面９１をなしている。
【００３９】
図９に示すように、横傾斜案内面９０は、前後方向Ｈ２に対して平行で、横方向Ｈ１に対しては、下面リブ６２に接近するに従って下るように傾斜している。また、横方向Ｈ１に対する横傾斜案内面９０の傾斜角は、例えば５〜３０度になっている。一方、鉛直堰止面９１は、下面溝６４の一方の溝内側面６２Ｂと面一になっている。そして、横傾斜案内面９０と縦傾斜面９２とが交差する交差部分のうち鉛直外面８３側の一端が、本発明に係る雨水排出部９３になっている。そして、下面溝６４の溝内側面６２Ｂと鉛直外面８３とが交差してなる稜線Ｒ１が、雨水排出部９３の真下位置で上下方向に延びている。また、下面リブ６２のうち下面溝６４の溝内側面６２Ｂとは反対側の外側面６２Ａと鉛直外面８３との稜線Ｒ２は、雨水排出部９３の上方位置から下面リブ６２の下端部まで延びている。なお、横傾斜案内面９０の上隣の面取り傾斜壁３５の外面は、以下、「縦傾斜面９２」ということとする。
【００４０】
本実施形態のガスメータ１０の構成に関する説明は以上である。次に本実施形態のガスメータ１０の作用効果について説明する。本実施形態のガスメータ１０は屋外の雨水がかかる場所に設置されることがある。また、ガスメータ１０は、図６に示すように、通気孔１３Ｂ，１３Ｂを備えているが、それら通気孔１３Ｂ，１３Ｂは、メータケース１１の下面溝６４の天井面６４Ａに開口しているので、通常であれば、通気孔１３Ｂ，１３Ｂに雨水が入り込むことはない。しかしながら、例えば晴天から急転して雨天になると、ガスメータ１０が冷却されてメータケース１１内に負圧状態になり、このとき下面溝６４の天井面６４Ａに雨水が伝わっていると、通気孔１３Ｂ，１３Ｂからメータケース１１内に雨水が入り込む事態が生じう得る。
【００４１】
これに対し、本実施形態のガスメータ１０では、メータケース１１のうち下面溝６４の溝端部開口６５から略同じ横幅で上方に延びる帯状領域の下端部に、横方向Ｈ１に対して傾斜する横傾斜案内面９０が段付き状に形成されて、その横傾斜案内面９０の下端部から鉛直堰止面９１が立ち上がっている。これにより、図８に示すように、帯状領域内（具体的には、フード後面１３Ｄ、縦傾斜面９２）を流下してくる雨水が、横傾斜案内面９０によって帯状領域の一側方へと案内されてから鉛直堰止面９１で堰き止められ、それら横傾斜案内面９０と鉛直堰止面９１との交差部分の一端の雨水排出部９３から溝端部開口６５の一側縁部へと排出されて、その一側縁部の稜線Ｒ１，Ｒ２伝いに雨水が流下して下面溝６４の下方に落ちる。
【００４２】
つまり、図９に示すように、横傾斜案内面９０を備えていないと、帯状領域内のフード後面１３Ｄ、縦傾斜面９２を流下してくる雨水が下面溝６４の天井面６４Ａに伝わり得るところを、本実施形態のガスメータ１０では、図８に示すように、横傾斜案内面９０を備えたことで雨水を溝端部開口６５の一側縁部に案内して、その一側縁部を雨樋として利用して下面溝６４の下方に導くことができる。これにより、下面溝６４の天井面６４Ａに雨水が伝わることが規制され、通気孔１３Ｂ，１３Ｂへの雨水の浸入が抑えられる。
【００４３】
また、横傾斜案内面９０及び鉛直堰止面９１は、メータケース１１の後面から突出する突出部の上面又は側面として備えてもよいが、本実施形態のように凹部８４の内面として備えれば、突出部による異物への引っ掛かりを防ぐことができる。
【００４４】
下面溝６４は、メータケース１１の下面に陥没した状態に形成されていてもよいが、本実施形態では、メータケース１１の下面から突出する下面リブ６２で下面溝６４の一方の溝内側面６２Ｂを構成し、前述の溝端部開口６５の一側縁部が下面リブ６２の側縁部で構成されているので、下面リブ６２の側縁部の表裏の２本の稜線Ｒ１，Ｒ２を利用して、雨水を安定して鉛直下方に案内することができる。しかも、それら一方の稜線Ｒ２は、雨水排出部９３より上方まで延びてその途中部分が雨水排出部９３に接近しているので、その稜線Ｒ２を伝わって雨水排出部９３から溝端部開口６５の一側縁部へと雨水が安定して伝わる。
【００４５】
また、本実施形態では、第１と第２の付属部屋１０Ｊ，１０Ｋの間を区画する壁部の上部を連通孔７７が貫通し、第２の付属部屋１０Ｋの底部を通気孔１３Ｂ，１３Ｂが貫通しているので、仮に通気孔１３Ｂ，１３Ｂから第２の付属部屋１０Ｋに水が浸入したとしても、圧力センサ８０を収容する第１の付属部屋１０Ｊにまで水が浸入することが防がれる。しかも、第２の付属部屋１０Ｋの開口部１３Ｋを塞ぐ蓋体１５の下端部から直角曲げされた溝カバー１５Ａにより下面溝６４が下方から覆われているので、この点においても通気孔１３Ｂ，１３Ｂへの雨水の浸入が抑えられる。仮に、溝カバー１５Ａの上に雨水が落ちても、溝カバー１５Ａは傾斜しているので、溝カバー１５Ａ上に雨水が溜まることはない。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）前記実施形態のガスメータ１０は、１対の超音波素子を利用してガスの流量を計測する構成になっていたが、本発明に係るガスメータの流量の計測原理はどのようなものであってもよい。
【００４８】
（２）前記実施形態の横傾斜案内面９０は、帯状領域の幅方向である横方向Ｈ１に傾斜し、前後方向Ｈ２に対しては平行になっていたが、前後方向Ｈ２に対して傾斜していてもよい。また、鉛直堰止面９１も鉛直方向に対して傾斜していてもよい。
【００４９】
（３）前記実施形態の横傾斜案内面９０は、メータケース１１の後面に備えた凹部８４の内部に配置されていたが、凹部を設けず、例えば、メータケース１１の後面から突出する突部の上面と側面とに、横傾斜案内面９０と鉛直堰止面９１とを備えた構成としてもよい。
【符号の説明】
【００５０】
１０    ガスメータ
１０Ｊ  第１の付属部屋
１０Ｋ  第２の付属部屋
１１    メータケース
１３Ｂ  通気孔
１３Ｋ    開口部
１５    蓋体
１５Ａ  溝カバー
６１，６２    下面リブ
６２Ａ  外側面（表裏の他方の面）
６２Ｂ  溝内側面（表裏の一方の面）
６４    下面溝
６４Ａ    天井面
６５    溝端部開口
７７    連通孔
８０    圧力センサ
８４    凹部
９０    横傾斜案内面
９１    鉛直堰止面
９３    雨水排出部
【図１】
2019144001.tif 000003
【図２】
2019144001.tif 000004
【図３】
2019144001.tif 000005
【図４】
2019144001.tif 000006
【図５】
2019144001.tif 000007
【図６】
2019144001.tif 000008
【図７】
2019144001.tif 000009
【図８】
2019144001.tif 000010
【図９】
2019144001.tif 000011